(57)【要約】【課題】内枠に対して遊技盤を装着する遊技機のクランプ装置において、遊技盤の装着作業の完了を作業者が確実に認識できるようにすること。【解決手段】遊技盤４の縁部４ａを内枠に対して着脱可能な遊技機のクランプ装置１０は、内枠に対して固着されたベース部材２０と、ベース部材２０に対して弾性材６０を介して枢着されたロック部材３０と、ベース部材２０に対して枢着された装着部材４０とを備えている。ロック部材３０は、操作部３１と、押当部３２とを備えている。装着部材４０は、操作部４１と、遊技盤４の縁部４ａを挟み込み可能な装着部４２と、第１被押当部４３と、第１被押当部４３に対して張り出す第２被押当部４４とを備えている。弾性材６０は、両部材３０、４０の各操作部３１、４１が遠ざかるようにロック部材３０を付勢させている。【選択図】図９
2019180675.tif 000002
【特許請求の範囲】
【請求項１】
遊技盤の縁部を内枠に対して着脱可能な遊技機のクランプ装置であって、
内枠に対して固着されたベース部材と、
ベース部材に対して弾性材を介して枢着されたロック部材と、
ベース部材に対して枢着された装着部材と、を備えており、
ロック部材は、操作部と、押当部と、を備えており、
装着部材は、操作部と、遊技盤の縁部を挟み込み可能な装着部と、第１被押当部と、第１被押当部に対して張り出す第２被押当部と、を備えており、
弾性材は、両部材の各操作部が遠ざかるようにロック部材を付勢させている遊技機のクランプ装置。
【請求項２】
請求項１に記載の遊技機のクランプ装置であって、
弾性材の付勢力に抗して両部材の各操作部が近づくように両部材を回転させると、ロック部材の押当部が装着部材の第２被押当部を押し当てた遊技盤の待ち受け状態にロック部材と装着部材とが保持され、
待ち受け状態の装着部材の装着部に遊技盤の縁部を装着した状態で装着部材を回転させると、弾性材の付勢力によってロック部材の押当部が装着部材の張り出しを乗り越えて装着部材の第１被押当部を押し当てた遊技盤の装着状態にロック部材と装着部材とが保持される遊技機のクランプ装置。
【請求項３】
請求項２に記載の遊技機のクランプ装置であって、
ロック部材の押当部を張り出すように形成する張出壁と、装着部材の第２被押当部の張り出しを形成する張出壁とのいずれか一方の張出壁には、突起が形成されている遊技機のクランプ装置。
【発明の詳細な説明】
【技術分野】
【０００１】
本発明は、遊技機のクランプ装置に関し、詳しくは、遊技盤の縁部を内枠に対して着脱可能な遊技機のクランプ装置に関する。
【背景技術】
【０００２】
従来、遊技機（例えば、パチンコ機）の遊技盤は、保守点検や新台入替のために遊技機の内枠に対して着脱可能となっている。ここで、下記特許文献１には、内枠２０２に対して遊技盤２０４を着脱するためのクランプ装置２１５が開示されている（図１７（イ）、（ロ）、（ハ）参照）。これにより、内枠２０２に対して遊技盤２０４を簡便に着脱できる。
【先行技術文献】
【特許文献】
【０００３】
【特許文献１】特開２０１０−９９３１０号公報
【発明の概要】
【発明が解決しようとする課題】
【０００４】
しかしながら、上述した特許文献１の技術では、遊技盤２０４の装着作業は、単なる、クランプ装置２１５の固定部材２１８に対する遊技盤２０４の押し込み作業となっている。このとき、図１７（イ）、（ロ）、（ハ）からも明らかなように、クランプ装置２１５の平板部材２２４に対して固定部材２１８が押し当て状態のままとなっている。そのため、この遊技盤２０４の装着作業が完了した旨の節度感（遊技盤２０４が装着されたフィーリング）を作業者が得ることができなかった。そのため、この遊技盤２０４の押し込み量が不十分である場合、この遊技盤２０４の装着が半掛かりとなり、この半掛かりのまま遊技盤２０４の装着作業が完了してしまうことがあった。すなわち、誤装着のまま遊技盤２０４の装着作業が完了してしまうことがあった。
【０００５】
本発明は、このような課題を解決しようとするもので、その目的は、内枠に対して遊技盤を装着する遊技機のクランプ装置において、遊技盤の装着作業の完了を作業者が確実に認識できるようにすることである。
【課題を解決するための手段】
【０００６】
本発明は、上記の目的を達成するためのものであって、以下のように構成されている。
請求項１に記載の発明は、遊技盤の縁部を内枠に対して着脱可能な遊技機のクランプ装置であって、内枠に対して固着されたベース部材と、ベース部材に対して弾性材を介して枢着されたロック部材と、ベース部材に対して枢着された装着部材とを備えている。ロック部材は、操作部と、押当部と、を備えている。装着部材は、操作部と、遊技盤の縁部を挟み込み可能な装着部と、第１被押当部と、第１被押当部に対して張り出す第２被押当部と、を備えている。弾性材は、両部材の各操作部が遠ざかるようにロック部材を付勢させている。
【０００７】
請求項１の発明によれば、装着部に挟み込んだ遊技盤の縁部を押し込んでいくと、ロック部材の押当部が装着部材の第２被押当部から張り出しを乗り越えて第１被押当部を押し当てる。このとき、この第１被押当部に対する押し当てによって打音が必ず生じるため、遊技盤の装着作業の完了を作業者が確実に認識できる。
【０００８】
また、請求項２に記載の発明は、請求項１に記載の遊技機のクランプ装置であって、弾性材の付勢力に抗して両部材の各操作部が近づくように両部材を回転させると、ロック部材の押当部が装着部材の第２被押当部を押し当てた遊技盤の待ち受け状態にロック部材と装着部材とが保持される。また、待ち受け状態の装着部材の装着部に遊技盤の縁部を装着した状態で装着部材を回転させると、弾性材の付勢力によってロック部材の押当部が装着部材の張り出しを乗り越えて装着部材の第１被押当部を押し当てた遊技盤の装着状態にロック部材と装着部材とが保持される。
【０００９】
請求項２の発明によれば、遊技盤の待ち受け状態と遊技盤の装着状態との切り替えを簡便に実施できる。
【００１０】
また、請求項３に記載の発明は、請求項２に記載の遊技機のクランプ装置であって、ロック部材の押当部を張り出すように形成する張出壁と、装着部材の第２被押当部の張り出しを形成する張出壁とのいずれか一方の張出壁には、突起が形成されている。
【００１１】
請求項３の発明によれば、ロック部材の押当部が装着部材の張出壁を乗り越える時、ロック部材の張出壁と装着部材の張出壁の突起とが線接触、点接触、または面接触した状態となっている。そのため、この乗り越えの時、ロック部材の張出壁と装着部材の張出壁との間に生じる摩擦を抑えることができる。したがって、この乗り越えを滑らかに実施できる。
【図面の簡単な説明】
【００１２】
【図１】図１は、第１実施形態に係る遊技機の斜視図であり、ガラス枠を開けた状態を示している。
【図２】図２は、図１において、遊技パネルとクランプ装置を分解した状態を示している。
【図３】図３は、図２のクランプ装置の拡大図であり、待ち受け状態を示している。
【図４】図４は、図２のクランプ装置の拡大図であり、ロック状態を示している。
【図５】図５は、図３のクランプ装置の分解図である。
【図６】図６は、図３のクランプ装置の動作を説明する模式図である。
【図７】図７は、図６において、遊技パネルを装着している途中状態を示している。
【図８】図８は、図７において、さらに、遊技パネルを装着している途中状態を示している。
【図９】図９は、図８において、遊技パネルの装着が完了した状態を示している。
【図１０】図１０は、第２実施形態に係るクランプ装置の拡大図であり、待ち受け状態を示している。
【図１１】図１１は、図１０において、ロック状態を示している。
【図１２】図１２は、図１０のクランプ装置の分解図である。
【図１３】図１３は、図１０のクランプ装置の動作を説明する模式図である。
【図１４】図１４は、図１３において、遊技パネルを装着している途中状態を示している。
【図１５】図１５は、図１３において、さらに、遊技パネルを装着している途中状態を示している。
【図１６】図１６は、図１４において、遊技パネルの装着が完了した状態を示している。
【図１７】図１７は、従来技術に係るクランプ装置の動作を説明する側面断面図である。
【発明を実施するための形態】
【００１３】
以下、本発明を実施するための形態を、図面を用いて説明する。なお、以下の説明にあたって、「遊技機」が「パチンコ機１」である形態を説明する。
（第１実施形態）
まず、本発明の第１実施形態を図１〜９を用いて説明する。このパチンコ機１は、主として、パチンコホールにおける遊技島のベース（いずれも図示しない）に組み付けられる外枠２と、この外枠２に対して開閉可能にヒンジ（図示しない）を介して結合される内枠３と、この内枠３に対して組み付けられる遊技盤４と、この内枠３に対して開閉可能にヒンジ３ａを介して結合されるガラス枠５とから構成されている（図１〜２参照）。この遊技盤４は、保守点検や新台入替のために内枠３に対して上下一対のクランプ装置１０を介して着脱可能となっている。
【００１４】
ここで、このクランプ装置１０の構成を説明する（図３〜６参照）。なお、このクランプ装置１０は、上下に対を成す格好となっているため、下側のクランプ装置１０を説明することで、上側のクランプ装置１０の説明を省略することとする。クランプ装置１０は、ベース部材２０と、ロック部材３０と、装着部材４０とから構成されている。まず、これらベース部材２０と、ロック部材３０と、装着部材４０とを個別に説明する。
【００１５】
はじめに、ベース部材２０から説明する。ベース部材２０は、底壁２１と、底壁２１の左右の縁から折り曲げられた側壁２２とから構成されている。この底壁２１には、その手前側の縁から折り曲げられる格好でばね掛け片２３が形成されている。また、この左右の側壁２２には、後述する第１枢着ピン７０と第２枢着ピン７２とを挿し込み可能な第１挿込孔２２ａと第２挿込孔２２ｂとが形成されている。また、この左右の側壁２２には、その手前側の縁から互いが遠ざかる方向に折り曲げられる格好で取付片２４が形成されている。この左右の取付片２４には、後述するビス１１を挿し込み可能なビス孔２４ａが３個所形成されている。ベース部材２０は、このように構成されている。
【００１６】
次に、ロック部材３０を説明する。ロック部材３０は、操作部３１と押当部３２とから構成されている。操作部３１の表面には、滑り止めを成す土手状の突起３１ａが対を成すように形成されている。また、押当部３２は、張出壁３２ａを介して張り出すように形成されている。また、ロック部材３０には、後述する第１枢着ピン７０を挿し込み可能な挿込孔３３が形成されている。また、ロック部材３０には、後述するトーションばね６０の一端６１を挿し込み可能なばね掛け穴３４が形成されている。ロック部材３０は、このように構成されている。
【００１７】
最後に、装着部材４０を説明する。装着部材４０は、操作部４１と、遊技盤４の縁部４ａを挟み込み可能な略Ｕ字状の装着部４２と、第１被押当部４３と、第１被押当部４３に対して張り出す第２被押当部４４とから構成されている。操作部４１の表面には、滑り止めを成す土手状の突起４１ａが対を成すように形成されている。また、装着部４２の表面４２ａには、後述する第２枢着ピン７２を挿し込み可能な挿込孔５１を有する板ばね５０が嵌め込まれている。この板ばね５０には、その先端側の縁から内側に向けて折り曲げられる格好を成す折返片５２が形成されている。
【００１８】
これにより、装着部４２に装着した遊技盤４の板厚の違いを吸収できる。したがって、装着した遊技盤４にガタツキが生じることを防止できる。また、第１被押当部４３は、後述する挿込孔４５と同心を成すように円弧面状に形成されている。また、第２被押当部４４は、張出壁４４ａを介して第１被押当部４３に対して張り出すように形成されている。この張出壁４４ａには、土手状の突起４４ｂが形成されている。また、装着部材４０には、後述する第２枢着ピン７２を挿し込み可能な挿込孔４５が形成されている。装着部材４０は、このように構成されている。
【００１９】
このように構成されているベース部材２０の第１挿込孔２２ａとトーションばね６０とロック部材３０の挿込孔３３との順に第１枢着ピン７０を挿し込み、挿し込んだ第１枢着ピン７０の先端を留め金具７１で掛け留める。このとき、トーションばね６０の一端６１をロック部材３０のばね掛け穴３４に掛け留める。また、このとき、トーションばね６０の他端６２をばね掛け片２３に掛け留める。このトーションばね６０が、特許請求の範囲に記載の「弾性材」に相当する。
【００２０】
これにより、トーションばね６０によってロック部材３０を付勢できる。これと同様に、ベース部材２０の第２挿込孔２２ｂと装着部材４０の挿込孔４５との順に第２枢着ピン７２を挿し込み、挿し込んだ第２枢着ピン７２の先端を留め金具７３で掛け留める。このようにしてクランプ装置１０が組み立てられる。なお、組み立てられたクランプ装置１０は、内枠３のヒンジ３ａの反対側に４本のビス１１を介して上下に対を成すように組み付けられる（図１〜２参照）。
【００２１】
続いて、上述したクランプ装置１０によって内枠３に遊技盤４を装着する手順を説明する（図６〜１０参照）。図６に示す状態は、クランプ装置１０の初期状態であり、トーションばね６０の付勢力に抗して両部材３０、４０の各操作部３１、４１が近づくように両部材３０、４０を回転させた状態である。この図６に示す状態のクランプ装置１０では、ロック部材３０の押当部３２の円弧面３２ｂの縁３２ｃが装着部材４０の第２被押当部４４を押し当てた遊技盤４の待ち受け状態にロック部材３０と装着部材４０とが保持されている。
【００２２】
この図６に示す状態から、クランプ装置１０の装着部材４０の装着部４２に遊技盤４の縁部４ａを挟み込んでいく（図７参照）。すると、挟み込んだ遊技盤４の縁部４ａに装着部材４０の装着部４２が押されていく。そのため、装着部４２が押された装着部材４０は、図７において、時計回り方向に回転していく。したがって、ロック部材３０の押当部３２の円弧面３２ｂの縁３２ｃに対して装着部材４０の第２被押当部４４が摺動していく。
【００２３】
やがて、装着部材４０の第２被押当部４４に対するロック部材３０の押当部３２の円弧面３２ｂの縁３２ｃの押し当てが解消（離脱）する。すると、既に説明したように、ロック部材３０は、トーションばね６０によって付勢されているため、クランプ装置１０は、ロック部材３０の押当部３２が装着部材４０の張出壁４４ａを乗り越えて装着部材４０の第１被押当部４３を押し当てた遊技盤４の装着状態にロック部材３０と装着部材４０とが保持されている（図９参照）。この第１被押当部４３に対する押し当てによって打音が必ず生じることとなる。
【００２４】
なお、この乗り越えの時、ロック部材３０の張出壁３２ａと装着部材４０の張出壁４４ａの突起４４ｂとが線接触した状態となっている（図８参照）。そのため、この乗り越えの時、ロック部材３０の張出壁３２ａと装着部材４０の張出壁４４ａとの間に生じる摩擦を抑えることができる。したがって、この乗り越えを滑らかに実施できる。この一連の手順と同じことが、上側のクランプ装置１０でも同時に行われている。このようにして、クランプ装置１０によって内枠３に遊技盤４を装着できる。
【００２５】
なお、内枠３に装着した遊技盤４を取り外す場合、ロック部材３０の操作部３１と装着部材４０の操作部４１とが近づくように両部材３０、４０を回転させればよい。すると、ロック部材３０の押当部３２の円弧面３２ｂの縁３２ｃが装着部材４０の張出壁４４ａを乗り越える。そのため、クランプ装置１０は、ロック部材３０の押当部３２の円弧面３２ｂの縁３２ｃが装着部材４０の第２被押当部４４を押し当てた遊技盤４の待ち受け状態に戻される。これと同じことを、上側のクランプ装置１０でも同時に行うと、内枠３に装着した遊技盤４を取り外すことができる。
【００２６】
本発明の第１実施形態に係るパチンコ機１のクランプ装置１０は、上述したように構成されている。この構成によれば、クランプ装置１０は、ベース部材２０と、ロック部材３０と、装着部材４０とから構成されている。ロック部材３０は、操作部３１と押当部３２とから構成されている。装着部材４０は、操作部４１と、遊技盤４の縁部４ａを挟み込み可能な略Ｕ字状の装着部４２と、第１被押当部４３と、第１被押当部４３に対して張り出す第２被押当部４４とから構成されている。また、トーションばね６０によってロック部材３０は付勢されている。そのため、装着部４２に挟み込んだ遊技盤４の縁部４ａを押し込んでいくと、ロック部材３０の押当部３２が装着部材４０の第２被押当部４４から張り出しを乗り越えて第１被押当部４３を押し当てる。このとき、この第１被押当部４３に対する押し当てによって打音が必ず生じるため、遊技盤４の装着作業の完了を作業者が確実に認識できる。
【００２７】
また、この構成によれば、トーションばね６０の付勢力に抗して両部材３０、４０の各操作部３１、４１が近づくように両部材３０、４０を回転させると、ロック部材３０の押当部３２の円弧面３２ｂの縁３２ｃが装着部材４０の第２被押当部４４を押し当てた遊技盤４の待ち受け状態となっている。この状態のクランプ装置１０では、ロック部材３０と装着部材４０とが保持されている。また、この状態から、クランプ装置１０の装着部材４０の装着部４２に遊技盤４の縁部４ａを挟み込んでいくと、装着部材４０の第２被押当部４４に対するロック部材３０の押当部３２の円弧面３２ｂの縁３２ｃの押し当てが解消（離脱）する。すると、クランプ装置１０は、ロック部材３０の押当部３２が装着部材４０の張出壁４４ａを乗り越えて装着部材４０の第１被押当部４３を押し当てた遊技盤４の装着状態に切り替わる。この切り替わった状態のクランプ装置１０では、ロック部材３０と装着部材４０とが保持されている。そのため、遊技盤４の待ち受け状態と遊技盤４の装着状態との切り替えを簡便に実施できる。
【００２８】
また、この構成によれば、装着部材４０の張出壁４４ａには、土手状の突起４４ｂが形成されている。そのため、ロック部材３０の押当部３２が装着部材４０の張出壁４４ａを乗り越える時、ロック部材３０の張出壁３２ａと装着部材４０の張出壁４４ａの突起４４ｂとが線接触した状態となっている。そのため、この乗り越えの時、ロック部材３０の張出壁３２ａと装着部材４０の張出壁４４ａとの間に生じる摩擦を抑えることができる。したがって、この乗り越えを滑らかに実施できる。
【００２９】
（第２実施形態）
次に、本発明の第２実施形態を図１０〜１６を用いて説明する。この第２実施形態のクランプ装置１１０は、第１実施形態のクランプ装置１０と比較すると、弾性部材を別の部材で実施した形態である。なお、以下の説明にあたって、第１実施形態で説明した部材と同一または均等な構成の部材には、図面において同一符号を付すことで、重複する説明は省略することとする。
【００３０】
クランプ装置１１０は、ベース部材２０と、ロック部材３０と、装着部材４０とから構成されている（図１０〜１３参照）。図１２〜１３から明らかなように、このロック部材３０には、撓み片３５が形成されている。この撓み片３５が、特許請求の範囲に記載の「弾性材」に相当する。このように撓み片３５が形成されているため、このクランプ装置１１０では、トーションばね６０が不要となっている。この撓み片３５の先端３５ａがベース部材２０の底壁２１に接触しているため、この撓み片３５によってトーションばね６０と同様にロック部材３０を付勢できる。なお、ロック部材３０は、剛性を有する合成樹脂によって、一体的に成形されている。クランプ装置１１０は、このように構成されている。
【００３１】
このクランプ装置１１０においても、上述したクランプ装置１０と同様に、内枠３に遊技盤４を装着できる（図１３〜１６参照）。また、上述したクランプ装置１０と同様に、内枠３に装着した遊技盤４を取り外すことができる。
【００３２】
本発明の第２実施形態に係るパチンコ機１のクランプ装置１１０は、上述したように構成されている。この構成によれば、第１実施形態のクランプ装置１０と同様の作用効果を得ることができる。また、トーションばね６０が不要なため、クランプ装置１１０の部品点数を削減できる。
【００３３】
上述した内容は、あくまでも本発明の一実施の形態に関するものであって、本発明が上記内容に限定されることを意味するものではない。
【００３４】
各実施形態では、突起４４ｂがロック部材３０の押当部３２の張出壁３２ａに対して線接触する形状（土手状）を説明した。しかし、これに限定されるものでなく、突起４４ｂがロック部材３０の押当部３２の張出壁３２ａに対して点接触または面接触するような形状であっても構わない。
【００３５】
また、各実施形態では、突起４４ｂは、装着部材４０の張出壁４４ａに形成されている例を説明した。しかし、これに限定されるものでなく、突起４４ｂは、ロック部材３０の張出壁３２ａに形成されていても構わない。その場合も、突起４４ｂは、装着部材４０の張出壁４４ａに対して線接触、点接触、または面接触するような形状となる。
【符号の説明】
【００３６】
１      パチンコ機（遊技機）
３      内枠
４      遊技盤
４ａ    縁部
１０    クランプ装置（第１実施形態）
２０    ベース部材
３０    ロック部材
３１    操作部
３２    押当部
４０    装着部材
４１    操作部
４２    装着部
４３    第１被押当部
４４    第２被押当部
６０    トーションばね（弾性材）
１１０  クランプ装置（第２実施形態）
【図１】
2019180675.tif 000003
【図２】
2019180675.tif 000004
【図３】
2019180675.tif 000005
【図４】
2019180675.tif 000006
【図５】
2019180675.tif 000007
【図６】
2019180675.tif 000008
【図７】
2019180675.tif 000009
【図８】
2019180675.tif 000010
【図９】
2019180675.tif 000011
【図１０】
2019180675.tif 000012
【図１１】
2019180675.tif 000013
【図１２】
2019180675.tif 000014
【図１３】
2019180675.tif 000015
【図１４】
2019180675.tif 000016
【図１５】
2019180675.tif 000017
【図１６】
2019180675.tif 000018
【図１７】
2019180675.tif 000019